(57)【要約】【課題】実戦を想定した武道における訓練や競技会に適した武道シューズを提供する。【解決手段】武道シューズ１は、装着者の足の甲部を覆う甲被部２と、甲被部２との間で装着者の足を受け入れる靴底部３とを備えており、甲被部２には、装着者の足の甲部に作用する衝撃を緩和させることが可能な衝撃緩和材１２が配置されている。武道シューズ１は、さらに、甲被部２との間で空間１４を形成するように甲被部２の裏面に取り付けられた裏当て材１３を備えており、衝撃緩和材１２は、空間１４に着脱自在に挿入されている。【選択図】図２
2009160010.tif 000002
【特許請求の範囲】
【請求項１】
武道用の武道シューズであって、
装着者の足の甲部を覆う甲被部と、
前記甲被部との間で装着者の足を受け入れる靴底部と、
を備え、
前記甲被部には、装着者の足の甲部に作用する衝撃を緩和させることが可能な衝撃緩和材が配置されている武道シューズ。
【請求項２】
請求項１に記載の武道シューズにおいて、さらに、前記甲被部との間で空間を形成するように該甲被部の裏面に取り付けられた裏当て材を備え、
前記衝撃緩和材は、前記空間に着脱自在に挿入されている武道シューズ。
【請求項３】
請求項１または２に記載の武道シューズにおいて、前記衝撃緩和材は、スポンジ状部材である武道シューズ。
【発明の詳細な説明】
【技術分野】
【０００１】
本発明は、武道用の武道シューズに関する。
【背景技術】
【０００２】
徒手格闘技や警察の逮捕術等の、実戦を想定した特定の武道では、靴を履いた状態で、訓練を行ったり、競技会において技を競い合う。その際に履かれる武道シューズとして、特許文献１のものが知られている。特許文献１の武道シューズは、靴底部の、装着者の足の踵に相当する位置に衝撃吸収材を有している。この衝撃吸収材により、装着者のかかとに作用する負荷を軽減させて、かかとの怪我防止を図っている。
【特許文献１】特開平８−７０９０５号公報
【発明の開示】
【発明が解決しようとする課題】
【０００３】
しかしながら、装着者の蹴りが、訓練の相方または競技会での対戦相手が装着している防具、例えば鉄製の面がねに当たった場合、装着者は、足の甲に大きな衝撃を受ける。このため、装着者は、足を負傷して、訓練または競技会を続行することができなくなるおそれがある。このように、特許文献１の武道シューズは、実戦を想定した武道における訓練や競技会に適していない。
【０００４】
そこで、本発明は、上記の課題に鑑み、実戦を想定した武道における訓練や競技会に適した武道シューズを提供することを目的とする。
【課題を解決するための手段】
【０００５】
前記課題を達成するために、本発明に係る武道用の武道シューズは、装着者の足の甲部を覆う甲被部と、前記甲被部との間で装着者の足を受け入れる靴底部とを備えており、前記甲被部には、装着者の足の甲部に作用する衝撃を緩和させることが可能な衝撃緩和材が配置されている。
【０００６】
本発明に係る武道シューズによれば、徒手格闘技や警察の逮捕術等の、実戦を想定した特定の武道において、装着者の蹴りが、訓練の相方や競技会の対戦相手が装着している防具、例えば鉄製の面がねに当たっても、甲を覆う甲被部に配置された衝撃緩和材によって、足の甲に作用する衝撃を緩和させることができる。したがって、装着者が負傷することを防止できる。このように、本発明の武道シューズは、実戦を想定した武道の訓練や競技会に適している。衝撃緩和材は、好ましくはスポンジ状部材である。
【０００７】
本発明の好ましい実施形態では、武道シューズは、さらに、前記甲被部との間で空間を形成するように該甲被部の裏面に取り付けられた裏当て材を備えており、前記衝撃緩和材は、前記空間に着脱自在に挿入されている。この構成によれば、簡単な構成で衝撃緩和材を武道シューズに装着可能である。
【発明の効果】
【０００８】
本発明の武道シューズは、衝撃緩和材によって装着者が負傷することを防止できるので、実戦を想定した武道における訓練や競技会に適している。
【発明を実施するための最良の形態】
【０００９】
以下、本発明を実施するための最良の形態について、図面を参照しながら詳細に説明する。
【００１０】
図１は、本発明の実施形態に係る武道シューズの斜視図であり、靴紐を結んでいない状態を示している。武道シューズ１は、徒手格闘技や警察の逮捕術等の、実戦を想定した武道のために用いられるシューズであって、装着者の足の甲から踵までを覆う甲被部２と、甲被部２との間で装着者の足を受け入れる靴底部３とを含む。
【００１１】
甲被部２は、武道シューズ１の前後方向から見て、装着者の足の爪先を覆う爪先部７と、甲を覆う甲部４と、くるぶし付近を覆うくるぶし部８と、踵を覆う踵部６とを含む。くるぶし部８は、甲部４および踵部６間で上方に立ち上がるように縫付部１５において甲部４および踵部６に縫い付けられた円筒状部分である。くるぶし部８には、装着者の足が挿入される履き口５が開口している。
【００１２】
甲部４は、後述する衝撃緩和材１２が装着される緩和材装着部９を含む。緩和材装着部９は、縫付部１５において甲部４に縫い付けられた上当て材１１と、上当て材１１の下方に位置し、上当て材１１との間で空間１４（図２）を形成するように武道シューズ１の前後後方に延びる裏当て材１３とを含む。
【００１３】
図２は、武道シューズ１の平面図であり、図３は、武道シューズ１の側面図である。図２では、裏当て材１３における上当て材１１の下方に位置する部分を破線で示している。裏当て材１３は、武道シューズ１の前後方向において、爪先部７の近傍に位置する前端部およびくるぶし部８の近傍に位置する後端部を有している。裏当て材１３の後端部には、靴紐３０が挿通可能な靴紐挿通部１７，１８が設けられている。裏当て材１３の前端部を、縫付部１５における爪先部７近傍に位置する一点鎖線で示す領域Ａにおいて甲部４の裏面に縫い付けると共に、後端部を、靴紐挿通部１７，１８に挿通された靴紐３０で履き口５において吊り下げることにより、上当て材１１および裏当て材１３間に空間１４を形成している。この空間１４に、鎖線で示す平板状の衝撃緩和材１２が挿入されている。裏当て材１３の前後方向に延びる両縁部は、甲部４に縫い付けられていない。衝撃緩和材１２は、好ましくはスポンジ状部材である。なお、図２では、説明の容易化のために縫付部１５における糸の縫い目を省略している。
【００１４】
図４は、図１のＸ−Ｘ線に沿って切断した断面図であり、緩衝材装着部９の断面視における構成を示している。スポンジ状部材である衝撃緩和材１２は、同図に示すように、上当て材１１および裏当て材１３間の空間１４に挿入されて上当て材１１と裏当て材１３とによって挟持された状態で甲部４（図１）に装着されている。図４では、衝撃緩和材１２は、上当て材１１および裏当て材１３に対して隙間なく装着された状態を示しているが、実際には、上当て材１１と衝撃緩和材１２との間、および裏当て材１３と衝撃緩和材１２との間には、ランダムに若干の隙間が存在している。
【００１５】
図５は、靴紐３０を結んだ状態の武道シューズ１の斜視図であり、図６は、靴紐３０を結んだ状態の武道シューズ１の背面図である。武道シューズ１のくるぶし部８には、装着者の足が履き口５に挿入された後に装着者のくるぶし付近を固定するための一対の締付片２５，２６が形成されている。図１に示すように、一対の締付片２５，２６は、武道シューズ１の靴紐３０が結ばれていない状態では、くるぶし部８の前方に突出する形状を有している。一方の締付片２５は、その裏面に、面ファスナー等の係着部材２７が縫い付けられており、他方の締付片２６も、その表面に、面ファスナー等の係着部材２８が縫い付けられている。装着者の足が履き口５に挿入された後、装着者のくるぶしに締付片２６を巻き付け、締付片２５の粘着部材２７を締付片２６の粘着部材２８に上下に重ね合わせて粘着部材２７と粘着部材２８とを互いに接着することにより、装着者のくるぶしをくるぶし部８において固定できる。
【００１６】
締付片２５は、その表面に、靴紐３０が挿通可能な一対の靴紐挿通部３７，３８を有している。また、図３および図６に示すように、くるぶし部８の周囲には、縫付部１５から上方に立ち上がるように縫付部１５において縫い付けられて靴紐３０が挿通可能な、例えば４つの第１〜第４靴紐挿通部３２，３３，３４，３５が介在している。第１靴紐挿通部３２は、上下方向に形成された上側挿通部３２ａおよび下側挿通部３２ｂを有している。また、第３靴紐挿通部３４も、上下方向に形成された上側挿通部３４ａおよび下側挿通部３４ｂを有している。さらに、第４靴紐挿通部３５も、上下方向に形成された上側挿通部３５ａおよび下側挿通部３５ｂを有している。
【００１７】
緩和材装着部９の靴紐挿通部１７，１８、くるぶし部８の締付片２５の靴紐挿通部３７，３８および第１〜第４靴紐挿通部３２，３３，３４，３５には、１本の靴紐３０が挿通される。靴紐３０を武道シューズ１に装着する手順として、まず、靴紐３０を、くるぶし部８の締付片２５の靴紐挿通部３７，３８に通し、次に、第１靴紐挿通部３２の上側挿通部３２ａ、第２靴紐挿通部３３、第３靴紐挿通部３４の下側挿通部３４ｂ、第４靴紐挿通部３５の下側挿通部３５ｂの順に挿通し、さらに、緩和材装着部９の靴紐挿通部１７，１８に挿通し、さらに、第１靴紐挿通部３２の下側挿通部３２ｂ、第２靴紐挿通部３３、第３靴紐挿通部３４の上側挿通部３４ａ、第４靴紐挿通部３５の上側挿通部３５ａの順に挿通し、最後に、靴紐３０の、靴紐挿通部１７，１８，３２，３３，３４，３５，３７，３８に挿通される長さと、挿通されない長さとを調整する。図５では、靴紐３０は、蝶々結びにされている。このように靴紐３０を武道シューズ１に装着することで、緩和材装着部９の下当て材１３の前記後端部は、上述のように、靴紐３０によって履き口５において吊り下げられた状態で支持されている。なお、靴紐３０の武道シューズ１への装着手順は、上述の手順に限定されない。
【００１８】
武道シューズ１は、上述のように、靴紐３０によって装着者の足を固定すると共に、一対の締付片２５，２６によっても装着者の足を固定するので、武道の訓練中や競技会中に武道シューズ１が脱げることを防止できる。
【００１９】
以上説明したように、本発明の実施形態に係る武道シューズ１は、徒手格闘技や警察の逮捕術等の、実戦を想定した武道の訓練や競技会に適している。武道シューズ１を履いた装着者は、蹴りが訓練の相方や競技会の対戦相手が装着している防具、例えば鉄製の面がねに当たっても、武道シューズ１に装着された衝撃緩和材１２によって、足の甲に作用する衝撃を緩和させることができる。したがって、装着者が負傷することを防止できる。
【図面の簡単な説明】
【００２０】
【図１】本発明の実施形態に係る武道シューズの斜視図である。
【図２】武道シューズの平面図である。
【図３】武道シューズの側面図である。
【図４】図１のＸ−Ｘ線に沿って切断した断面図である。
【図５】靴紐を結んだ状態の武道シューズの斜視図である。
【図６】靴紐を結んだ状態の武道シューズの背面図である。
【符号の説明】
【００２１】
１  武道シューズ
２  甲被部
３  靴底部
４  甲部
５  履き口
６  踵部
７  爪先部
８  くるぶし部
９  緩和材装着部
１１  上当て材
１２  衝撃緩和材
１３  裏当て材
１５  縫付部
【図１】
2009160010.tif 000003
【図２】
2009160010.tif 000004
【図３】
2009160010.tif 000005
【図４】
2009160010.tif 000006
【図５】
2009160010.tif 000007
【図６】
2009160010.tif 000008